(57)【要約】【課題】第一の着脱手段により上衣部の右前身頃の裾前部と左前身頃の裾裏部とを係着し、第二の着脱手段により左前身頃の裾裏部と右前身頃の裾前部とを係着し、この着脱手段によりそれぞれ係着作業をしつつ裾部を胴裏側に折り返して御端折りを形成することになり、従来の一部式着物のような御端折りを簡単に得ることができる。【解決手段】上衣部１の裾部１ａに締めベルトＢを設け、右前身頃１ｂの裾前部と左前身頃１ｃの裾裏部とを着脱するための第一の着脱手段４を設け、かつ、左前身頃の裾裏部と右前身頃の裾前部とを着脱するための第二の着脱手段５を設け、第一及び第二の着脱手段により上衣部の右前身頃の裾前部と左前身頃の裾裏部とを、及び、上衣部の左前身頃の裾裏部と右前身頃の裾前部とを係着し、この着脱手段によりそれぞれ係着作業をしつつ上衣部の裾部を胴裏１ｄ側に折り返して御端折りＨを形成してなる。【選択図】図１
2014019957.tif 000002
【特許請求の範囲】
【請求項１】
上衣部と下衣部とに分離されてなり、上記上衣部の裾部に着用者の胴回り部を締着可能なゴム製の締めベルトを設け、該上衣部の右前身頃の裾前部と該上衣部の左前身頃の裾裏部とを着脱するための第一の着脱手段を設け、かつ、該上衣部の左前身頃の裾裏部と該上衣部の右前身頃の裾前部とを着脱するための第二の着脱手段を設け、該第一及び第二の着脱手段により該上衣部の右前身頃の裾前部と該上衣部の左前身頃の裾裏部とを、及び、該上衣部の左前身頃の裾裏部と該上衣部の右前身頃の裾前部とを係着し、この第一及び第二の着脱手段によりそれぞれ係着作業をしつつ該上衣部の裾部を胴裏側に折り返して御端折りを形成することを特徴とする着物。
【請求項２】
上記上衣部と下衣部とを連結するための第三の着脱手段を設けてなることを特徴とする請求項１記載の着物。
【請求項３】
上記下衣部は巻きスカート状に形成され、該下衣部の腰巻き部に着用者の腰回り部を締着可能なゴム製の締めベルトを設け、該下衣部の腰巻き部を着用者の腰回り部に巻き回し固定するための下衣着脱手段を設けてなることを特徴とする請求項１又は２記載の着物。
【発明の詳細な説明】
【技術分野】
【０００１】
本発明は、上衣部と下衣部とに分離された二部式構造の浴衣等の着物に関するものである。
【背景技術】
【０００２】
従来、この種の二部式の着物として、上衣部と下衣部とに分離された構造のものが知られている。
【先行技術文献】
【特許文献】
【０００３】
【特許文献１】実用新案登録第３１２６４６６号
【発明の概要】
【発明が解決しようとする課題】
【０００４】
しかしながら、従来の二部式の着物の場合、上衣部及び下衣部をそれぞれ各別に着用することができ、従来の一体式着物に比べて着用が容易であり、着用後の着崩れが比較的少ないという利点を有するものの、従来の一部式着物のような御端折りを有する外観を簡単かつ短時間に得ることができないという不都合を有している。
【課題を解決するための手段】
【０００５】
本発明はこれらの不都合を解決することを目的とするもので、本発明のうちで、請求項１記載の発明は、上衣部と下衣部とに分離されてなり、上記上衣部の裾部に着用者の胴回り部を締着可能なゴム製の締めベルトを設け、該上衣部の右前身頃の裾前部と該上衣部の左前身頃の裾裏部とを着脱するための第一の着脱手段を設け、かつ、該上衣部の左前身頃の裾裏部と該上衣部の右前身頃の裾前部とを着脱するための第二の着脱手段を設け、該第一及び第二の着脱手段により該上衣部の右前身頃の裾前部と該上衣部の左前身頃の裾裏部とを、及び、該上衣部の左前身頃の裾裏部と該上衣部の右前身頃の裾前部とを係着し、この第一及び第二の着脱手段によりそれぞれ係着作業をしつつ該上衣部の裾部を胴裏側に折り返して御端折りを形成することを特徴とする着物にある。
【０００６】
又、請求項２記載の発明は、上記上衣部と下衣部とを連結するための第三の着脱手段を設けてなることを特徴とするものであり、又、請求項３記載の発明は、上記下衣部は巻きスカート状に形成され、該下衣部の腰巻き部に着用者の腰回り部を締着可能なゴム製の締めベルトを設け、該下衣部の腰巻き部を着用者の腰回り部に巻き回し固定するための下衣着脱手段を設けてなることを特徴とするものである。
【発明の効果】
【０００７】
本発明は上述の如く、請求項１記載の発明にあっては、上記第一の着脱手段により上衣部の右前身頃の裾前部と上衣部の左前身頃の裾裏部とを係着し、次いで、第二の着脱手段により上衣部の左前身頃の裾裏部と上衣部の右前身頃の裾前部とを係着し、この第一及び第二の着脱手段によりそれぞれ係着作業をしつつ上衣部の裾部を胴裏側に折り返して御端折りを形成することになり、腰紐や道具を使わずに短時間で着装することができ、上記上衣部の裾部に着用者の胴回り部を締着可能なゴム製の締めベルトを設けているから、上衣部を非常に楽に着装することができると共に着崩れが無くなり、従来の一部式着物のような御端折りを簡単に得ることができる。
【０００８】
又、請求項２記載の発明にあっては、上記上衣部と下衣部とを連結するための第三の着脱手段を設けてなるから、上記上衣部と下衣部とを連結することができ、上衣部と下衣部との相対位置を維持することができ、着崩れを防ぐことができ、又、請求項３記載の発明にあっては、上記下衣部は巻きスカート状に形成され、下衣部の腰巻き部に着用者の腰回り部を締着可能なゴム製の締めベルトを設け、下衣部の腰巻き部を着用者の腰回り部に巻き回し固定するための下衣着脱手段を設けてなるから、この下衣部の腰巻き部を着用者の腰回り部に容易に巻き回し固定することができ、下衣部を簡単かつ短時間に着装することができる。
【図面の簡単な説明】
【０００９】
【図１】本発明の実施の第一形態例の正面図である。
【図２】本発明の実施の第一形態例の平断面図である。
【図３】本発明の実施の第一形態例の部分縦断面図である。
【図４】本発明の実施の第一形態例の部分縦断面図である。
【図５】本発明の実施の第一形態例の展開状態の正面図である。
【図６】本発明の実施の第一形態例の一部展開状態の正面図である。
【図７】本発明の実施の第一形態例の御端折り形成前の正面図である。
【図８】本発明の実施の第一形態例の御端折り形成前の平断面図である。
【図９】本発明の実施の第一形態例の正面図である。
【図１０】本発明の実施の第一形態例の平断面図である。
【図１１】本発明の実施の第一形態例の使用状態の斜視図である。
【図１２】本発明の実施の第二形態例の正面図である。
【図１３】本発明の実施の第二形態例の平断面図である。
【図１４】本発明の実施の第二形態例の部分縦断面図である。
【発明を実施するための形態】
【００１０】
図１乃至図１４は本発明の実施の形態例を示し、図１乃至図１１は第一形態例、図１２乃至図１４は第二形態例である。
【００１１】
図１乃至図１１の第一形態例において、図１１の如く、１は上衣部、２は下衣部、３は帯部であって、上衣部１と下衣部２とは分離されて二部式構造の着物となっている。
【００１２】
また、上記上衣部１の裾部１ａに着用者Ｗの胴回り部Ｗ１を締着可能なゴム製の締めベルトＢがギャザーを寄せて縫着されている。
【００１３】
４は第一の着脱手段であって、図２、図４の如く、上記上衣部１の右前身頃１ｂの裾前部と上衣部１の左前身頃１ｃの裾裏部とを着脱するための雄雌のスナップからなる一対の構成要素４ａ・４ｂからなり、上衣部１の右前身頃１ｂの裾前部に一方の構成要素４ａを止着すると共に上衣部１の左前身頃１ｃの裾裏部に他方の構成要素４ｂを止着し、一対の構成要素４ａ・４ｂの相互の係着により上衣部１の右前身頃１ｂの裾前部と上衣部１の左前身頃１ｃの裾裏部とを着脱自在に構成している。
【００１４】
５は第二の着脱手段であって、図２、図３の如く、上記上衣部１の左前身頃１ｃの裾裏部と上衣部１の右前身頃１ｂの裾前部とを着脱する雄雌のスナップからなる一対の構成要素５ａ・５ｂからなり、上記上衣部１の左前身頃１ｃの裾裏部に一方の構成要素５ａを止着すると共に上衣部１の右前身頃１ｂの裾前部に他方の構成要素５ｂを止着し、一対の構成要素５ａ・５ｂの相互の係着により上記上衣部１の左前身頃１ｃの裾裏部と上衣部１の右前身頃１ｂの裾前部とを着脱自在に構成している。
【００１５】
しかして、先ず、図５から図６の如く、上記第一の着脱手段４により上衣部１の右前身頃１ｂの裾前部と上衣部１の左前身頃１ｃの裾裏部とを係着し、次いで、図７、図８の如く、第二の着脱手段５により上衣部１の左前身頃１ｃの裾裏部と上衣部１の右前身頃１ｂの裾前部とを係着し、この第一及び第二の着脱手段４・５によりそれぞれ係着作業をしつつ、図１、図２、図３、図４の如く、上衣部１の裾部１ａを胴裏１ｄ側に折り返して御端折りＨを形成することになる。
【００１６】
６・７は下衣着脱手段であって、図９、図１０の如く、上記下衣部２は巻きスカート状に形成され、下衣部２の腰巻き部２ａに着用者Ｗの腰回り部Ｗ２を締着可能なゴム製の締めベルトＦをギャザーを寄せて縫着し、下衣部２の腰巻き部２ａを着用者Ｗの腰回り部Ｗ２に巻き回し固定するための雄雌のスナップからなる二対の構成要素６ａ・６ｂ及び７ａ・７ｂからなり、下衣部２の腰巻き部２ａに二対の構成要素６ａ・６ｂ及び７ａ・７ｂをそれぞれ止着し、二対の構成要素６ａ・６ｂ及び７ａ・７ｂの相互の係着により下衣部２の腰巻き部２ａを着用者Ｗの腰回り部Ｗ２に巻き回し固定するように構成している。
【００１７】
この実施の第一形態例は上記構成であるから、先ず、図５から図６の如く、上記第一の着脱手段４により上衣部１の右前身頃１ｂの裾前部と上衣部１の左前身頃１ｃの裾裏部とを係着し、次いで、図７、図８の如く、第二の着脱手段５により上衣部１の左前身頃１ｃの裾裏部と上衣部１の右前身頃１ｂの裾前部とを係着し、この第一及び第二の着脱手段４・５によりそれぞれ係着作業をしつつ、図１、図２、図３、図４の如く、上衣部１の裾部１ａを胴裏１ｄ側に折り返して御端折りＨを形成することになり、腰紐や道具を使わずに短時間で着装することができ、上記上衣部１の裾部１ａに着用者Ｗの胴回り部Ｗ１を締着可能なゴム製の締めベルトＢを設けているから、上衣部１を非常に楽に着装することができると共に着崩れが無くなり、従来の一部式着物のような御端折りＨを簡単に得ることができる。
【００１８】
この場合、上記下衣部２は巻きスカート状に形成され、下衣部２の腰巻き部２ａに着用者Ｗの腰回り部Ｗ２を締着可能なゴム製の締めベルトＦを設け、下衣部２の腰巻き部２ａを着用者Ｗの腰回り部Ｗ２に巻き回し固定するための下衣着脱手段６・７を設けてなるから、この下衣部２の腰巻き部２ａを着用者Ｗの腰回り部Ｗ２に容易に巻き回し固定することができ、下衣部２を簡単かつ短時間に着装することができる。
【００１９】
図１２乃至図１４の第二形態例は別例構造を示し、この場合、上記第一形態例に加えて、上記上衣部１と下衣部２とを連結するための第三の着脱手段８を設けてなり、この第三の着脱手段８として、雄雌のスナップからなる一対の構成要素８ａ・８ｂからなり、上衣部１に一方の構成要素８ａを止着すると共に下衣部２に他方の構成要素８ｂを止着し、一対の構成要素８ａ・８ｂの相互の係着により上衣部１と下衣部２とを連結するように構成している。
【００２０】
この実施の第二形態例は上記構成であるから、上記第一形態例と同様な作用効果を得ることができ、加えて、第三の着脱手段８により上記上衣部１と下衣部２とを連結することができ、上衣部１と下衣部２との相対位置を維持することができ、着崩れを防ぐことができる。
【００２１】
尚、本発明は上記実施の形態例に限られるものではなく、上衣部１、下衣部２、帯部３の大きさや形態等は適宜設計して変更され、又、上記各々の着脱手段４・５・６・７・８の各構成要素として、雄雌のスナップを採用しているが、これに限らず、ボタンとボタンホール、面ファスナー、鉤ホック等を採用することもある。
【００２２】
以上、所期の目的を充分達成することができる。
【符号の説明】
【００２３】
Ｗ    着用者
Ｗ１    胴回り部
Ｗ２    腰回り部
Ｂ    締めベルト
Ｈ    御端折り
Ｆ    締めベルト
１    上衣部
１ａ    裾部
１ｂ    右前身頃
１ｃ    左前身頃
１ｄ    胴裏
２    下衣部
２ａ    腰巻き部
４    第一の着脱手段
５    第二の着脱手段
６    下衣着脱手段
７    下衣着脱手段
８    第三の着脱手段
【図１】
2014019957.tif 000003
【図２】
2014019957.tif 000004
【図３】
2014019957.tif 000005
【図４】
2014019957.tif 000006
【図５】
2014019957.tif 000007
【図６】
2014019957.tif 000008
【図７】
2014019957.tif 000009
【図８】
2014019957.tif 000010
【図９】
2014019957.tif 000011
【図１０】
2014019957.tif 000012
【図１１】
2014019957.tif 000013
【図１２】
2014019957.tif 000014
【図１３】
2014019957.tif 000015
【図１４】
2014019957.tif 000016